(57)【要約】キャリアアグリゲーションを実行する通信端末が増加した場合において、割り当て可能な無線リソースを確保することができるネットワーク装置を提供することを目的とする。本発明にかかるネットワーク装置（１０）は、通信端末（２０）に対して無線リソースを割り当てて通信を行う基地局（３０）を管理する。ネットワーク装置（１０）は、基地局（３０）において割り当て可能な無線リソースが不足している場合、もしくは、割り当て可能な無線リソースが不足することが想定される場合における基地局（３０）の動作として、複数の周波数帯を同時に使用した通信を行っている通信端末（２０）の一部の周波数帯の使用を停止することを指示する指示メッセージを基地局（３０）へ送信する通信部（１１）、を備える。
2016152096.tif 000002
【特許請求の範囲】
【請求項１】
通信端末に対して無線リソースを割り当てて通信を行う基地局を管理するネットワーク装置であって、
前記基地局において割り当て可能な無線リソースが不足している場合、もしくは、割り当て可能な無線リソースが不足することが想定される場合における前記基地局の動作として、複数の周波数帯を同時に使用した通信を行っている通信端末の一部の周波数帯の使用を停止することを指示する指示メッセージを前記基地局へ送信する通信手段、を備えるネットワーク装置。
【請求項２】
前記通信手段は、
複数の周波数帯を同時に使用した通信を行っている通信端末が複数存在する場合、一部の周波数帯の使用を停止する対象となる通信端末の決定基準情報を含む前記指示メッセージを前記基地局へ送信する、請求項１に記載のネットワーク装置。
【請求項３】
前記決定基準情報は、
電波強度が低い通信端末から順番に、一部の周波数帯域の使用を停止することを示す、請求項２に記載のネットワーク装置。
【請求項４】
前記決定基準情報は、
通信容量の少ない変調方式を適用している通信端末から順番に、一部の周波数帯域の使用を停止することを示す、請求項２又は３に記載のネットワーク装置。
【請求項５】
前記通信手段は、
前記通信端末のＡｔｔａｃｈ処理時に、前記指示メッセージを前記基地局へ送信する、請求項１乃至４のいずれか１項に記載のネットワーク装置。
【請求項６】
前記通信手段は、
Ａｔｔａｃｈ処理を実行中の前記通信端末が、複数の周波数帯を同時に使用した通信を行っている場合に、一部の周波数帯の使用を停止する対象となる通信端末に該当するか否かを示す情報を加入者情報管理装置から受信する、請求項５に記載のネットワーク装置。
【請求項７】
前記無線リソースが不足している場合とは、割り当て可能な無線リソースが、予め定められた第１の閾値を下回った場合である、請求項１乃至６のいずれか１項に記載のネットワーク装置。
【請求項８】
前記無線リソースが不足することが想定される場合とは、所定期間内に、割り当て可能な無線リソースの減少量が、予め定められた第２の閾値を上回る場合である、請求項１乃至７のいずれか１項に記載のネットワーク装置。
【請求項９】
割り当て可能な無線リソースが不足している場合、もしくは、割り当て可能な無線リソースが不足することが想定される場合における動作として、複数の周波数帯を同時に使用した通信を行っている通信端末の一部の周波数帯の使用を停止することを指示する指示メッセージをネットワーク装置から受信する通信手段と、
割り当て可能な無線リソースが不足しているか否か、もしくは、割り当て可能な無線リソースが不足することが想定されるか否か、を判定する判定部と、
前記判定部において、割り当て可能な無線リソースが不足している、もしくは、割り当て可能な無線リソースが不足することが想定される、と判定された場合に、複数の周波数帯を同時に使用した通信を行っている通信端末の一部の周波数帯の使用を停止する制御手段と、を備える基地局。
【請求項１０】
通信端末に対して無線リソースを割り当てて通信を行う基地局を管理するネットワーク装置における通信方法であって、
前記基地局において割り当て可能な無線リソースが不足している場合、もしくは、割り当て可能な無線リソースが不足することが想定される場合における前記基地局の動作として、複数の周波数帯を同時に使用した通信を行っている通信端末の一部の周波数帯の使用を停止することを指示する指示メッセージを前記基地局へ送信する通信方法。
【請求項１１】
割り当て可能な無線リソースが不足している場合、もしくは、割り当て可能な無線リソースが不足することが想定される場合における動作として、複数の周波数帯を同時に使用した通信を行っている通信端末の一部の周波数帯の使用を停止することを指示する指示メッセージをネットワーク装置から受信し、
割り当て可能な無線リソースが不足しているか否か、もしくは、割り当て可能な無線リソースが不足することが想定されるか否か、を判定し、
割り当て可能な無線リソースが不足している、もしくは、割り当て可能な無線リソースが不足することが想定される、と判定した場合に、複数の周波数帯を同時に使用した通信を行っている通信端末の一部の周波数帯の使用を停止する、無線リソース制御方法。
【請求項１２】
通信端末に対して無線リソースを割り当てて通信を行う基地局を管理するコンピュータに実行させるプログラムであって、
前記基地局において割り当て可能な無線リソースが不足している場合、もしくは、割り当て可能な無線リソースが不足することが想定される場合における前記基地局の動作として、複数の周波数帯を同時に使用した通信を行っている通信端末の一部の周波数帯の使用を停止することを指示する指示メッセージを前記基地局へ送信することをコンピュータに実行させるプログラムが格納された非一時的なコンピュータ可読媒体。
【請求項１３】
割り当て可能な無線リソースが不足している場合、もしくは、割り当て可能な無線リソースが不足することが想定される場合における動作として、複数の周波数帯を同時に使用した通信を行っている通信端末の一部の周波数帯の使用を停止することを指示する指示メッセージをネットワーク装置から受信し、
割り当て可能な無線リソースが不足しているか否か、もしくは、割り当て可能な無線リソースが不足することが想定されるか否か、を判定し、
割り当て可能な無線リソースが不足している、もしくは、割り当て可能な無線リソースが不足することが想定される、と判定した場合に、複数の周波数帯を同時に使用した通信を行っている通信端末の一部の周波数帯の使用を停止することをコンピュータに実行させるプログラムが格納された非一時的なコンピュータ可読媒体。
【発明の詳細な説明】
【技術分野】
【０００１】
本発明はネットワーク装置、基地局、通信方法、無線リソース制御方法及びプログラムに関し、特にキャリアアグリゲーションに関する動作を制御するネットワーク装置、基地局、通信方法、無線リソース制御方法及びプログラムに関する。
【背景技術】
【０００２】
近年、高速な無線通信を実現するために、複数の周波数帯を利用して広帯域を実現するキャリアアグリゲーションが用いられている。例えば、キャリアアグリゲーションを実行可能な通信端末は、８００ＭＨｚ帯における１０ＭＨｚ幅の周波数帯域と、２ＧＨｚ帯における１０ＭＨｚ幅の周波数帯域とを合わせて、２０ＭＨｚ幅の周波数帯域を用いて無線通信を行ってもよい。【０００３】
非特許文献１には、キャリアアグリゲーションを適用する際の処理の流れが記載されている。具体的には、ｅＮＢ（evolved NodeB）が、キャリアアグリゲーションを実行可能なＵＥと通信を行う際に、ＵＥ（User Equipment）に対してＲＲＣ（Radio Resource Control） Ｃｏｎｎｅｃｔｉｏｎの確立を行う処理が記載されている。ｅＮＢは、３ＧＰＰ（3rd Generation Partnership Project）において無線通信方式としてＬＴＥ（Long Term Evolution）を利用することができる基地局として定義されている。ＵＥは、３ＧＰＰにおいて、通信端末の総称として用いられている。
【先行技術文献】
【非特許文献】
【０００４】
【非特許文献１】3GPP TS 36.331 V12.4.1 (2014-12) 5.3.5 RRC connection reconfiguration
【発明の概要】
【発明が解決しようとする課題】
【０００５】
しかし、通信端末は、キャリアアグリゲーションを実行する場合、複数の周波数帯に関する無線リソースを用いる。例えば、通信端末が、８００ＭＨｚ帯及び２ＧＨｚ帯を利用してキャリアアグリゲーションを行う場合、基地局は、８００ＭＨｚ帯及び２ＧＨｚ帯において、通信端末に対して無線リソースを割り当てる必要がある。そのため、キャリアアグリゲーションを実行する通信端末が増加した場合、無線リソースが不足し、キャリアアグリゲーションを適用しない場合と比較して、同時に無線通信を行うことができる通信端末が減少するという問題がある。【０００６】
本発明の目的は、キャリアアグリゲーションを実行する通信端末が増加した場合において、割り当て可能な無線リソースを確保することができるネットワーク装置、基地局、通信方法、無線リソース制御方法及びプログラムを提供することにある。
【課題を解決するための手段】
【０００７】
本発明の第１の態様にかかるネットワーク装置は、通信端末に対して無線リソースを割り当てて通信を行う基地局を管理するネットワーク装置であって、前記基地局において割り当て可能な無線リソースが不足している場合、もしくは、割り当て可能な無線リソースが不足することが想定される場合における前記基地局の動作として、複数の周波数帯を同時に使用した通信を行っている通信端末の一部の周波数帯の使用を停止することを指示する指示メッセージを前記基地局へ送信する通信部、を備えるものである。【０００８】
本発明の第２の態様にかかる基地局は、割り当て可能な無線リソースが不足している場合、もしくは、割り当て可能な無線リソースが不足することが想定される場合における動作として、複数の周波数帯を同時に使用した通信を行っている通信端末の一部の周波数帯の使用を停止することを指示する指示メッセージをネットワーク装置から受信する通信部と、割り当て可能な無線リソースが不足しているか否か、もしくは、割り当て可能な無線リソースが不足することが想定されるか否か、を判定する判定部と、前記判定部において、割り当て可能な無線リソースが不足している、もしくは、割り当て可能な無線リソースが不足することが想定される、と判定された場合に、複数の周波数帯を同時に使用した通信を行っている通信端末の一部の周波数帯の使用を停止する制御部と、を備えるものである。【０００９】
本発明の第３の態様にかかる通信方法は、通信端末に対して無線リソースを割り当てて通信を行う基地局を管理するネットワーク装置における通信方法であって、前記基地局において割り当て可能な無線リソースが不足している場合、もしくは、割り当て可能な無線リソースが不足することが想定される場合における前記基地局の動作として、複数の周波数帯を同時に使用した通信を行っている通信端末の一部の周波数帯の使用を停止することを指示する指示メッセージを前記基地局へ送信するものである。【００１０】
本発明の第４の態様にかかる無線リソース制御方法は、割り当て可能な無線リソースが不足している場合、もしくは、割り当て可能な無線リソースが不足することが想定される場合における動作として、複数の周波数帯を同時に使用した通信を行っている通信端末の一部の周波数帯の使用を停止することを指示する指示メッセージをネットワーク装置から受信し、割り当て可能な無線リソースが不足しているか否か、もしくは、割り当て可能な無線リソースが不足することが想定されるか否か、を判定し、割り当て可能な無線リソースが不足している、もしくは、割り当て可能な無線リソースが不足することが想定される、と判定した場合に、複数の周波数帯を同時に使用した通信を行っている通信端末の一部の周波数帯の使用を停止するものである。【００１１】
本発明の第５の態様にかかるプログラムは、通信端末に対して無線リソースを割り当てて通信を行う基地局を管理するコンピュータに実行させるプログラムであって、前記基地局において割り当て可能な無線リソースが不足している場合、もしくは、割り当て可能な無線リソースが不足することが想定される場合における前記基地局の動作として、複数の周波数帯を同時に使用した通信を行っている通信端末の一部の周波数帯の使用を停止することを指示する指示メッセージを前記基地局へ送信することをコンピュータに実行させるものである。
【発明の効果】
【００１２】
本発明により、キャリアアグリゲーションを実行する通信端末が増加した場合において、割り当て可能な無線リソースを確保することができるネットワーク装置、基地局、通信方法、無線リソース制御方法及びプログラムを提供することができる。
【図面の簡単な説明】
【００１３】
【図１】実施の形態１にかかる通信システムの構成図である。
【図２】実施の形態２にかかる通信システムの構成図である。
【図３】実施の形態２にかかるＭＭＥの構成図である。
【図４】実施の形態２にかかるｅＮＢの構成図である。
【図５】実施の形態２にかかるＡｔｔａｃｈ処理の流れを示す図である。
【図６】実施の形態２にかかるキャリアアグリゲーションを実行しているＵＥの一部の周波数帯の使用を停止する処理の流れを示す図である。
【図７】実施の形態３にかかる通信システムの構成図である。
【発明を実施するための形態】
【００１４】
（実施の形態１）
以下、図面を参照して本発明の実施の形態について説明する。はじめに、図１を用いて本発明の実施の形態１にかかる通信システムの構成例について説明する。図１の通信システムは、ネットワーク装置１０、通信端末２０及び基地局３０を有している。ネットワーク装置１０、通信端末２０及び基地局３０は、プロセッサがメモリに格納されたプログラムを実行することによって動作さするコンピュータ装置であってもよい。
【００１５】
基地局３０は、通信端末２０に対して無線リソースを割り当てて通信を行う。通信端末２０は、例えば、携帯電話端末、スマートフォンもしくは通信機能を有するパーソナルコンピュータ等であってもよい。無線リソースは、例えば、ある周波数帯において同時に使用することができる無線チャネル、割り当て可能な周波数帯域、信号送信時の送信電力等であってもよい。
【００１６】
基地局３０は、通信端末２０と無線通信を行う。さらに、基地局３０は、ネットワーク装置１０と有線通信もしくは無線通信を行う。
【００１７】
続いて、ネットワーク装置１０の構成例について説明する。ネットワーク装置１０は、例えば、３ＧＰＰにおいて規定されたノード装置であってもよい。ネットワーク装置１０は、通信部１１を有している。通信部１１は、プロセッサがメモリに格納されているプログラムを実行することによって処理が実行されるソフトウェアもしくはモジュールであってもよい。もしくは、通信部１１は、回路等によって構成されてもよい。
【００１８】
通信部１１は、基地局３０において割り当て可能な無線リソースが不足している場合、もしくは、割り当て可能な無線リソースが不足することが想定される場合における基地局３０の動作として、複数の周波数帯を同時に使用した通信を行っている通信端末２０の一部の周波数帯の使用を停止することを指示する指示メッセージを基地局３０へ送信する。
【００１９】
割り当て可能な無線リソースが不足することが想定される場合とは、例えば、現時点では無線リソースは不足していないが、割り当てる無線リソースの急激な増加等により、一定時間経過後に、無線リソースが不足した状態となることが想定される場合であってもよい。
【００２０】
複数の周波数帯を同時に使用した通信を行っている通信端末２０とは、例えば、キャリアアグリゲーションを実施している通信端末２０であってもよい。通信端末２０は、基地局３０との間において、複数の周波数帯を同時に使用した通信を行ってもよく、複数の基地局との間において、複数の周波数帯域を同時に使用した通信を行ってもよい。通信端末の一部の周波数帯の使用を停止するとは、例えば、通信端末２０が、基地局３０との間において、８００ＭＨｚ帯及び２ＧＨｚ帯を同時に使用した通信を行っている場合、２ＧＨｚ帯の使用を停止することであってもよい。もしくは、通信端末２０が、基地局３０と８００ＭＨｚ帯を使用した通信を行い、基地局３０とは異なる他の基地局と２ＧＨｚ帯を使用した通信を行っている場合、基地局３０が、８００ＭＨｚ帯の使用を停止することであってもよい。
【００２１】
通信部１１は、基地局３０において割り当て可能な無線リソースが不足する前、もしくは、割り当て可能な無線リソースが不足することが想定される前に、指示メッセージを基地局３０へ送信する。
【００２２】
以上説明したように、図１の通信システムを用いることによって、ネットワーク装置１０は、基地局３０が、キャリアアグリゲーションを利用して通信端末２０と通信を行っている最中の動作に関する指示を基地局３０へ伝えておくことができる。これより、基地局３０は、通信端末２０とキャリアアグリゲーションを利用した通信を行っている最中であっても、基地局３０の無線リソースに応じて、動的にキャリアアグリゲーションにおいて使用している周波数帯の一部を停止することができる。
【００２３】
基地局３０が、無線リソースに応じて動的にキャリアアグリゲーションにおいて使用している周波数帯の一部を停止することができることによって、さらに、次の効果を得ることができる。
【００２４】
基地局３０は、割り当て可能な無線リソースが不足している場合もしくは割り当て可能な無線リソースが無い場合、現在接続している通信端末以外の通信端末からの接続要求を拒否しなければならない。一般的に、通信端末は、ハンドオーバすることによって接続する基地局を変更する場合、もしくは、電源をＯＮ状態とした場合、最も電波環境もしくは無線通信環境のよい基地局への接続を試みる。しかし、接続を試みた基地局において、接続を拒否された場合、通信端末は、次に電波環境のよい基地局へ接続を試みる。ここで、通信端末が２回目に接続を試みた基地局との電波環境は、最初に接続を試みた基地局よりも劣るため、基地局と通信端末との間の通信品質の劣化が懸念される。
【００２５】
一方、基地局３０は、割り当て可能な無線リソースが不足している場合等においては、キャリアアグリゲーションを実行することによって、キャリアアグリゲーションを実行していない他の通信端末よりも多く無線リソースを利用している通信端末における、一部の周波数帯の使用を停止することができる。これによって、基地局３０は、割り当て可能な無線リソースを確保もしくは増やすことができる。これより、基地局３０は、接続可能な通信端末の数を増加させることができる。
【００２６】
（実施の形態２）
続いて、図２を用いて本発明の実施の形態２にかかる通信システムの構成例について説明する。図２の通信システムは、ｅＮＢ４０、ＵＥ５０、ＭＭＥ（Mobility Management Entity）６０、ＭＭＥ７０、ＨＳＳ（Home Subscriber Server）７１、Ｓ−ＧＷ（Serving−Gateway）７２及びＰ−ＧＷ（Packet Data Network Gateway）７３を有している。
【００２７】
ＵＥ５０は、図１の通信端末２０に相当する。ｅＮＢ４０は、図１の基地局３０に相当する。ＭＭＥ６０及びＭＭＥ７０は、図１のネットワーク装置１０に相当する。
【００２８】
ｅＮＢ４０は、Ｕｕインタフェースを介してＵＥ５０と接続する。ＵＥ５０は、例えば、ｅＮＢ４０において通信可能な複数の周波数帯を同時に使用して、キャリアアグリゲーションを実行している。
【００２９】
ＭＭＥ６０は、Ｓ１−ＭＭＥインタフェースを介してｅＮＢ４０を収容する。また、ＭＭＥ７０は、ｅＮＢ４０とは異なる他のｅＮＢを収容してもよい。ＭＭＥ６０及びＭＭＥ７０は、ＵＥの移動管理、認証及びユーザデータ転送経路の設定処理等を行う。また、ＭＭＥ６０は、外部ＭＭＥ間インタフェースを介してＭＭＥ７０と接続する。
【００３０】
ＨＳＳ７１は、ＵＥ５０の加入者情報を管理する。加入者情報は、例えば、ＵＥ５０と移動通信事業者との間における契約情報のような静的情報及びＵＥ５０の位置情報のような動的情報を含む。静的情報は、変更される頻度の少ない情報であり、動的情報は、静的情報と比較して変更される頻度の多い情報である。ＨＳＳ７１は、例えば、ＭＭＥ６０がＵＥ５０の認証処理を実行する際に、Ｓ６ａインタフェースを介してＵＥ５０に関する加入者情報をＭＭＥ６０へ送信する。
【００３１】
Ｓ−ＧＷ７２は、ユーザデータの伝送を行う。Ｓ−ＧＷ７２は、外部ＭＳ間インタフェースを介してＭＭＥ６０と接続し、制御データの送受信を行う。Ｐ−ＧＷ７３は、Ｓ−ＧＷ７２と同様にユーザデータの伝送を行う。さらに、Ｐ−ＧＷ７３は、ＵＥ５０に対してＩＰアドレスの割り当て等を実施する。Ｐ−ＧＷ７３は、外部ＳＰ間インタフェースを介してＳ−ＧＷ７２と接続し、制御データの送受信を行う。また、Ｐ−ＧＷ７３は、他のインタフェースを介して外部ネットワークやＩｎｔｅｒｎｅｔなど（不図示）と接続してもよい。
【００３２】
続いて、図３を用いて本発明の実施の形態２にかかるＭＭＥ６０の構成例について説明する。ＭＭＥ６０は、信号生成部６１及び通信部（送受信部）６２を有している。信号生成部６１及び通信部６２は、プロセッサがメモリに格納されているプログラムを実行することによって処理が実行されるソフトウェもしくはモジュールであってもよい。また、信号生成部６１及び通信部６２は、回路によって構成されてもよい。図３においては、ｅＮＢ４０以外のノード装置と通信を行う際の通信インタフェース（もしくは通信部）の記載を省略する。
【００３３】
信号生成部６１は、ｅＮＢ４０において割り当て可能な無線リソースが不足している場合、もしくは、割り当て可能な無線リソースが不足することが想定される場合におけるｅＮＢ４０の動作として、キャリアアグリゲーションを実行しているＵＥ５０の一部の周波数帯の使用を停止することを指示する指示メッセージを生成する。
【００３４】
ここでは、ＵＥ５０が、複数の周波数帯を利用してｅＮＢ４０とキャリアアグリゲーションを実行すると仮定する。例えば、ＵＥ５０は、ｅＮＢ４０との間において、８００ＭＨｚ帯における１０ＭＨｚ幅の周波数帯域と、２ＧＨｚ帯における１０ＭＨｚ幅の周波数帯域とを合わせて、２０ＭＨｚ幅の周波数帯域を用いて無線通信を行っているとする。
【００３５】
例えば、ｅＮＢ４０は、ＵＥ５０とキャリアアグリゲーションを実行する場合、ＵＥ５０とプライマリーセル及びセカンダリーセルにおけるコネクションを確立する。例えば、プライマリーセルは、８００ＭＨｚ帯の周波数を用いた通信エリアであって、セカンダリーセルは、２ＧＨｚ帯の周波数を用いた通信エリアであってもよい。
【００３６】
信号生成部６１は、停止する周波数帯に関する情報を指示メッセージに含めてもよい。また、信号生成部６１が、停止する周波数帯に関する情報を指示メッセージに含めない場合、ｅＮＢ４０が、停止する周波数帯を決定してもよい。例えば、ｅＮＢ４０は、セカンダリーセルにおけるコネクションを切断してもよい。
【００３７】
さらに、信号生成部６１は、一部の周波数帯の使用を停止する対象となる通信端末の決定基準情報を指示メッセージに含めてもよい。例えば、決定基準情報として、電波強度もしくは無線信号強度の値が設定されていてもよい。ｅＮＢ４０は、無線リソースが不足し、さらに、ＵＥ５０が使用している複数の周波数帯のうちの一部の周波数帯の電波強度が、指示メッセージに設定されている値よりも低い場合に、電波強度が指示メッセージに設定されている値よりも低い周波数帯の使用を停止してもよい。
【００３８】
もしくは、信号生成部６１は、決定基準情報として、使用している変調方式を定めてもよい。例えば、ｅＮＢ４０は、無線リソースが不足し、さらに、ＵＥ５０が使用している複数の周波数帯のうちの一部の周波数帯の変調方式が、指示メッセージに設定された変調方式よりも通信容量が少ない変調方式を用いている場合に、変調方式が指示メッセージに設定された変調方式よりも通信容量が少ない変調方式を用いている周波数帯の使用を停止してもよい。
【００３９】
もしくは、信号生成部６１は、決定基準情報として、ＵＥ５０の優先度に関する情報を設定してもよい。例えば、ｅＮＢ４０は、無線リソースが不足した場合に、複数の周波数帯を使用しているそれぞれのＵＥ毎に設定されている優先度に関する情報を判定し、優先度の低いＵＥから順番に一部の周波数帯の使用を停止してもよい。
【００４０】
通信部６２は、信号生成部６１において生成された指示メッセージをｅＮＢ４０へ送信する。例えば、通信部６２は、ＵＥ５０のＡｔｔａｃｈ処理において、指示メッセージをｅＮＢ４０へ送信する。
【００４１】
また、通信部６２は、ＵＥ５０が、キャリアアグリゲーションを実行している際に、一部の周波数帯の使用を停止させることができるＵＥに該当するか否かを示す情報をＨＳＳ７１から取得してもよい。通信部６２は、ＨＳＳ７１から出した情報を信号生成部６１へ出力する。
【００４２】
続いて、図４を用いて本発明の実施の形態２にかかるｅＮＢ４０の構成例について説明する。ｅＮＢ４０は、通信部（送受信部）４１、制御部４２及び判定部４３を有している。通信部４１、制御部４２及び判定部４３は、プロセッサがメモリに格納されているプログラムを実行することによって処理が実行されるソフトウェもしくはモジュールであってもよい。また、通信部４１、制御部４２及び判定部４３は、回路によって構成されてもよい。図４においては、ＵＥ５０と通信を行う際の通信インタフェース（もしくは通信部）の記載を省略する。
【００４３】
通信部４１は、ＭＭＥ６０から送信された指示情報を受信する。通信部４１は、受信した指示情報を制御部４２へ出力する。
【００４４】
判定部４３は、割り当て可能な無線リソースが不足しているか否か、もしくは、割り当て可能な無線リソースが不足することが想定されるか否か、を判定する。例えば、判定部４３は、割り当て可能な無線チャネルの数が、予め定められた値を下回った場合に、割り当て可能な無線リソースが不足していると判定してもよい。さらに、判定部４３は、所定期間内に割り当てられた無線チャネルの数が、予め定められた値を上回った場合に、割り当て可能な無線リソースが不足することが想定されると判定してもよい。言い換えると、判定部４３は、所定期間内に割り当て可能な無線チャネルの減少量が、予め定められた値を上回った場合に、割り当て可能な無線リソースが不足することが想定されると判定してもよい。判定部４３は、判定結果を制御部４２へ出力する。
【００４５】
制御部４２は、判定部４３から、割り当て可能な無線リソースが不足している、もしくは、割り当て可能な無線リソースが不足することが想定される、との判定結果を受け取った場合、キャリアアグリゲーションを実行しているＵＥ５０の一部の周波数帯の使用を停止する。
【００４６】
また、キャリアアグリゲーションを実行しているＵＥが複数存在する場合の制御部４２における判定処理について説明する。例えば、制御部４２は、ＭＭＥ６０から送信された指示情報に、決定基準情報が含まれていない場合、任意のＵＥもしくはｅＮＢ４０に接続している順番が長いＵＥから順番に、一部の周波数帯の使用を停止してもよい。制御部４２は、ＭＭＥ６０から送信された指示情報に、決定基準情報が含まれている場合、決定基準情報に従って、一部の周波数帯の使用を停止するＵＥ及び使用を停止する周波数帯を決定してもよい。
【００４７】
続いて、図５を用いて本発明の実施の形態２にかかるＡｔｔａｃｈ処理の流れについて説明する。はじめに、ＵＥ５０は、NAS:Attach RequestメッセージをｅＮＢ４０へ送信する（Ｓ１）。NAS:Attach Requestメッセージは、例えば、ＵＥ５０が、電源ＯＦＦ状態から電源ＯＮ状態へ遷移した際に送信される。NAS:Attach Requestメッセージは、ＵＥとコアネットワーク装置との間に規定されているＮＡＳ（Non-Access Stratum）プロトコルにおいて用いられる。コアネットワーク装置は、例えば、ＭＭＥであってもよい。
【００４８】
次に、ｅＮＢ４０は、ＵＥ５０から送信されたNAS:Attach RequestメッセージをＭＭＥ６０へ転送する（Ｓ２）。次に、ＭＭＥ６０は、ｅＮＢ４０から送信されたNAS:Attach Requestメッセージを受信すると、ＨＳＳ７１へUpdate Location Requestメッセージを送信する（Ｓ３）。ＭＭＥ６０は、ＨＳＳ７１から加入者情報を取得するために、ＨＳＳ７１へUpdate Location Requestメッセージを送信する。例えば、ＭＭＥ６０は、ＵＥ５０を識別する識別子を設定して、ＨＳＳ７１へUpdate Location Requestメッセージを送信する。
【００４９】
次に、ＨＳＳ７１は、Update Location Requestメッセージに対する応答メッセージとして、Update Location AckメッセージをＭＭＥ６０へ送信する（Ｓ４）。ＨＳＳ７１は、ＵＥ５０の加入者情報を設定したUpdate Location AckメッセージをＭＭＥ６０へ送信する。
【００５０】
ＨＳＳ７１は、ＵＥ５０がキャリアアグリゲーションを実行している際に、ｅＮＢ４０において割り当て可能な無線リソースが不足している、もしくは、割り当て可能な無線リソースが不足することが想定されると判定された場合の動作として、ＵＥ５０の一部の周波数帯の使用を停止することを示す情報をUpdate Location Ackメッセージに設定する。
【００５１】
ＵＥ５０がキャリアアグリゲーションを実行している際に、ｅＮＢ４０において割り当て可能な無線リソースが不足している、もしくは、割り当て可能な無線リソースが不足することが想定されると判定された場合に、ＵＥ５０の一部の周波数帯の使用を停止することを示す情報は、加入者情報に含められていてもよい。
【００５２】
次に、ＭＭＥ６０は、Initial Context Setup RequestメッセージをｅＮＢ４０へ送信する（Ｓ５）。ＭＭＥ６０は、ＵＥ５０がキャリアアグリゲーションを実行している際に、ｅＮＢ４０において割り当て可能な無線リソースが不足している、もしくは、割り当て可能な無線リソースが不足することが想定されると判定された場合に、ＵＥ５０の一部の周波数帯の使用を停止することを示す情報をInitial Context Setup Requestメッセージに設定する。
【００５３】
また、ＭＭＥ６０は、ＵＥ５０がキャリアアグリゲーションを実行している際に、ｅＮＢ４０において割り当て可能な無線リソースが不足している、もしくは、割り当て可能な無線リソースが不足することが想定されると判定された場合に、セカンダリーセルのコネクションを切断することを示す情報をInitial Context Setup Requestメッセージに設定してもよい。また、ＨＳＳ７１が送信するUpdate Location Ackメッセージに、ＵＥ５０がキャリアアグリゲーションを実行している際に、ｅＮＢ４０において割り当て可能な無線リソースが不足している、もしくは、割り当て可能な無線リソースが不足することが想定されると判定された場合に、セカンダリーセルのコネクションを切断することを示す情報が設定されてもよい。
【００５４】
次に、ｅＮＢ４０は、ＵＥ５０との間においてRRC Connectionを確立するために、RRC Connection Reconfiguration/ NAS:Attach Acceptメッセージを、ＵＥ５０へ送信する（Ｓ６）。
【００５５】
次に、ＵＥ５０は、RRC Connection Reconfiguration/ NAS:Attach Acceptメッセージへの応答メッセージとして、ｅＮＢ４０へ、RRC Connection Reconfiguration Completeメッセージを送信する（Ｓ７）。
【００５６】
次に、ｅＮＢ４０は、Initial Context Setup Requestメッセージへの応答メッセージとして、Initial Context Setup ResponseメッセージをＭＭＥ６０へ送信する（Ｓ８）。次に、ＵＥ５０は、Attach Requestに関する処理の完了通知するために、Direct Transfer/ NAS:Attach CompleteメッセージをｅＮＢ４０へ送信する（Ｓ９）。次に、ｅＮＢ４０は、NAS:Attach CompleteメッセージをＭＭＥ６０へ送信する（Ｓ１０）。
【００５７】
続いて、図６を用いて本発明の実施の形態２にかかる、キャリアアグリゲーションを実行しているＵＥ５０の一部の周波数帯の使用を停止する処理の流れについて説明する。本図においては、ＵＥ５０は、図５におけるＡｔｔａｃｈ処理を実行済みであり、キャリアアグリゲーションを実行して通信中であると仮定する。
【００５８】
はじめに、ｅＮＢ４０は、割り当て可能な無線リソースが不足していると判定する（Ｓ２１）。例えば、ｅＮＢ４０は、割り当て可能な無線チャネルの数が不足していると判定してもよい。
【００５９】
次に、ｅＮＢ４０は、キャリアアグリゲーションを実行している複数のＵＥの中から、一部の周波数帯の使用を停止する、つまり、キャリアアグリゲーションを停止させるＵＥを特定する（Ｓ２２）。例えば、ｅＮＢ４０は、予め定められた閾値よりも低い電波強度の信号を用いて通信を行っているＵＥについて、キャリアアグリゲーションを停止してもよい。もしくは、ｅＮＢ４０は、ＵＥ毎に設定された優先度情報を確認し、優先度の低いＵＥから順番にキャリアアグリゲーションを停止してもよい。また、ｅＮＢ４０は、Ａｔｔａｃｈ処理において、一部の周波数帯の使用を停止することを示す情報を通知したＵＥの中からキャリアアグリゲーションを停止させるＵＥを特定する。
【００６０】
次に、ｅＮＢ４０は、ステップＳ２２において特定したＵＥへ、RRC Connection Reconfigurationメッセージを送信し、キャリアアグリゲーションの停止を実行する（Ｓ２３）。例えば、ｅＮＢ４０は、セカンダリーセルのコネクションを切断することをRRC Connection Reconfigurationメッセージに設定してもよい。
【００６１】
次に、ＵＥ５０は、RRC Connection Reconfiguration CompleteメッセージをｅＮＢ４０へ送信する（Ｓ２４）。ＵＥ５０がRRC Connection Reconfiguration CompleteメッセージをｅＮＢ４０へ送信することによって、ＵＥ５０とｅＮＢ４０との間のキャリアアグリゲーションを用いた通信が停止する。
【００６２】
以上説明したように、本発明の実施の形態２にかかる通信システムを実行することによって、ＭＭＥ６０は、ｅＮＢ４０において無線リソースが不足した場合もしくは無線リソースの不足が想定される場合の動作として、キャリアアグリゲーションを停止させることを指示するメッセージを送信することができる。さらに、ｅＮＢ４０は、無線リソースが不足したと判定もしくは無線リソースの不足が想定されると判定した場合に、特定したＵＥとの通信におけるキャリアアグリゲーションの適用を停止することができる。これによって、ｅＮＢ４０における無線リソースの不足を解消することができる。そのため、ｅＮＢ４０は、ｅＮＢ４０へ新たに接続を要求してきたＵＥに対しても、無線リソースを割り当てることが可能となる。
【００６３】
また、ｅＮＢ４０は、ＭＭＥ６０から決定基準情報を取得することによって、キャリアアグリゲーションを実行している複数のＵＥの中から、決定基準情報に従ってキャリアアグリゲーションを停止するＵＥを決定することができる。例えば、決定基準情報を、通信事業者が決定することによって、ｅＮＢ４０は、通信事業者のポリシーに従い、キャリアアグリゲーションを停止するＵＥを決定することができる。
【００６４】
（実施の形態３）
続いて、図７を用いて実施の形態３にかかる通信システムの構成例について説明する。図７の通信システムは、図２の通信システムに、ｅＮＢ８０を加えた構成である。ｅＮＢ８０は、ＭＭＥ６０に収容されている。さらに、ｅＮＢ８０は、Ｘ２インタフェースを介してｅＮＢ４０と接続する。
【００６５】
ここでは、ＵＥ５０は、ｅＮＢ４０及びｅＮＢ８０と同時に通信することによってキャリアアグリゲーションを実行しているとする。例えば、ＵＥ５０は、ｅＮＢ４０と８００ＭＨｚ帯を使用した通信を行い、ｅＮＢ８０と２ＧＨｚ帯を使用した通信を行ってもよい。また、ＵＥ５０がキャリアアグリゲーションを実行する際に、ｅＮＢ４０が形成する通信エリアをプライマリーセルとし、ｅＮＢ８０が形成する通信エリアをセカンダリーセルとしてもよい。
【００６６】
ｅＮＢ４０及びｅＮＢ８０は、ＵＥ５０がキャリアアグリゲーションを実行する際に、どちらがプライマリーセルであるか、もしくは、セカンダリーセルであるかを、Ｘ２インタフェースを介して制御信号を送受信することによって決定してもよい。
【００６７】
このような場合、例えば、ＭＭＥ６０は、ｅＮＢ４０及びｅＮＢ８０へ、割り当て可能な無線リソースが不足した場合において、セカンダリーセルにおけるコネクションを切断することを指示する指示メッセージを送信してもよい。
【００６８】
ここでは、ｅＮＢ８０がセカンダリーセルを形成しているため、ｅＮＢ８０において、割り当て可能な無線リソースが不足していると判定された場合、ｅＮＢ８０が、ＵＥ５０との間の通信を切断してもよい。
【００６９】
以上説明したように、実施の形態３にかかる通信システムを用いることによって、ＵＥ５０が、複数のｅＮＢを用いてキャリアアグリゲーションを実行している場合においても、複数のｅＮＢのうちの一部のｅＮＢが、ＵＥ５０との通信を停止することができる。これによって、ＵＥ５０が使用している複数の周波数帯の一部の周波数帯における通信を停止することができる。
【００７０】
上述の実施の形態では、本発明をハードウェアの構成として説明したが、本発明は、これに限定されるものではない。本発明は、ＵＥ、ＭＭＥ及びｅＮＢにおける処理を、ＣＰＵ（Central Processing Unit）にコンピュータプログラムを実行させることにより実現することも可能である。
【００７１】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７２】
なお、本発明は上記実施の形態に限られたものではなく、趣旨を逸脱しない範囲で適宜変更することが可能である。
【００７３】
以上、実施の形態を参照して本願発明を説明したが、本願発明は上記によって限定されるものではない。本願発明の構成や詳細には、発明のスコープ内で当業者が理解し得る様々な変更をすることができる。
【００７４】
この出願は、２０１５年３月２０日に出願された日本出願特願２０１５−０５８１５１を基礎とする優先権を主張し、その開示の全てをここに取り込む。
【符号の説明】
【００７５】
１０  ネットワーク装置
１１  通信部
２０  通信端末
３０  基地局
４０  ｅＮＢ
４１  通信部
４２  制御部
４３  判定部
５０  ＵＥ
６０  ＭＭＥ
６１  信号生成部
６２  通信部
７０  ＭＭＥ
７１  ＨＳＳ
７２  Ｓ−ＧＷ
７３  Ｐ−ＧＷ
８０  ｅＮＢ
【図１】
2016152096.tif 000003
【図２】
2016152096.tif 000004
【図３】
2016152096.tif 000005
【図４】
2016152096.tif 000006
【図５】
2016152096.tif 000007
【図６】
2016152096.tif 000008
【図７】
2016152096.tif 000009
【手続補正書】
【提出日】平成29年9月13日(2017.9.13)
【手続補正１】
【補正対象書類名】特許請求の範囲
【補正対象項目名】全文
【補正方法】変更
【補正の内容】
【特許請求の範囲】
【請求項１】
通信端末に対して無線リソースを割り当てて通信を行う基地局を管理するネットワーク装置であって、
前記基地局において割り当て可能な無線リソースが不足している場合、もしくは、割り当て可能な無線リソースが不足することが想定される場合における前記基地局の動作として、複数の周波数帯を同時に使用した通信を行っている通信端末の一部の周波数帯の使用を停止することを指示する指示メッセージを前記基地局へ送信する通信手段、を備えるネットワーク装置。
【請求項２】
前記通信手段は、
複数の周波数帯を同時に使用した通信を行っている通信端末が複数存在する場合、一部の周波数帯の使用を停止する対象となる通信端末の決定基準情報を含む前記指示メッセージを前記基地局へ送信する、請求項１に記載のネットワーク装置。
【請求項３】
前記決定基準情報は、
電波強度が低い通信端末から順番に、一部の周波数帯域の使用を停止することを示す、請求項２に記載のネットワーク装置。
【請求項４】
前記決定基準情報は、
通信容量の少ない変調方式を適用している通信端末から順番に、一部の周波数帯域の使用を停止することを示す、請求項２又は３に記載のネットワーク装置。
【請求項５】
前記通信手段は、
前記通信端末のＡｔｔａｃｈ処理時に、前記指示メッセージを前記基地局へ送信する、請求項１乃至４のいずれか１項に記載のネットワーク装置。
【請求項６】
前記通信手段は、
Ａｔｔａｃｈ処理を実行中の前記通信端末が、複数の周波数帯を同時に使用した通信を行っている場合に、一部の周波数帯の使用を停止する対象となる通信端末に該当するか否かを示す情報を加入者情報管理装置から受信する、請求項５に記載のネットワーク装置。
【請求項７】
前記無線リソースが不足している場合とは、割り当て可能な無線リソースが、予め定められた第１の閾値を下回った場合である、請求項１乃至６のいずれか１項に記載のネットワーク装置。
【請求項８】
前記無線リソースが不足することが想定される場合とは、所定期間内に、割り当て可能な無線リソースの減少量が、予め定められた第２の閾値を上回る場合である、請求項１乃至７のいずれか１項に記載のネットワーク装置。
【請求項９】
割り当て可能な無線リソースが不足している場合、もしくは、割り当て可能な無線リソースが不足することが想定される場合における動作として、複数の周波数帯を同時に使用した通信を行っている通信端末の一部の周波数帯の使用を停止することを指示する指示メッセージをネットワーク装置から受信する通信手段と、
割り当て可能な無線リソースが不足しているか否か、もしくは、割り当て可能な無線リソースが不足することが想定されるか否か、を判定する判定手段と、
前記判定手段において、割り当て可能な無線リソースが不足している、もしくは、割り当て可能な無線リソースが不足することが想定される、と判定された場合に、複数の周波数帯を同時に使用した通信を行っている通信端末の一部の周波数帯の使用を停止する制御手段と、を備える基地局。
【請求項１０】
通信端末に対して無線リソースを割り当てて通信を行う基地局を管理するネットワーク装置における通信方法であって、
前記基地局において割り当て可能な無線リソースが不足している場合、もしくは、割り当て可能な無線リソースが不足することが想定される場合における前記基地局の動作として、複数の周波数帯を同時に使用した通信を行っている通信端末の一部の周波数帯の使用を停止することを指示する指示メッセージを前記基地局へ送信する通信方法。
【請求項１１】
割り当て可能な無線リソースが不足している場合、もしくは、割り当て可能な無線リソースが不足することが想定される場合における動作として、複数の周波数帯を同時に使用した通信を行っている通信端末の一部の周波数帯の使用を停止することを指示する指示メッセージをネットワーク装置から受信し、
割り当て可能な無線リソースが不足しているか否か、もしくは、割り当て可能な無線リソースが不足することが想定されるか否か、を判定し、
割り当て可能な無線リソースが不足している、もしくは、割り当て可能な無線リソースが不足することが想定される、と判定した場合に、複数の周波数帯を同時に使用した通信を行っている通信端末の一部の周波数帯の使用を停止する、無線リソース制御方法。
【請求項１２】
通信端末に対して無線リソースを割り当てて通信を行う基地局を管理するコンピュータに実行させるプログラムであって、
前記基地局において割り当て可能な無線リソースが不足している場合、もしくは、割り当て可能な無線リソースが不足することが想定される場合における前記基地局の動作として、複数の周波数帯を同時に使用した通信を行っている通信端末の一部の周波数帯の使用を停止することを指示する指示メッセージを前記基地局へ送信することをコンピュータに実行させるプログラム。
【請求項１３】
割り当て可能な無線リソースが不足している場合、もしくは、割り当て可能な無線リソースが不足することが想定される場合における動作として、複数の周波数帯を同時に使用した通信を行っている通信端末の一部の周波数帯の使用を停止することを指示する指示メッセージをネットワーク装置から受信し、
割り当て可能な無線リソースが不足しているか否か、もしくは、割り当て可能な無線リソースが不足することが想定されるか否か、を判定し、
割り当て可能な無線リソースが不足している、もしくは、割り当て可能な無線リソースが不足することが想定される、と判定した場合に、複数の周波数帯を同時に使用した通信を行っている通信端末の一部の周波数帯の使用を停止することをコンピュータに実行させるプログラム。
【国際調査報告】
2016152096.tif 000010
2016152096.tif 000011
2016152096.tif 000012
2016152096.tif 000013